(57)【特許請求の範囲】
【請求項１】
ＧＳＭシステムがＬＴＥシステムに割り当てられた周波数スペクトル全体の中の一部を使用するようにＧＳＭシステムとＬＴＥシステムがＬＴＥシステムに割り当てられた周波数スペクトル全体を共有する方法であって、
ＬＴＥシステムの固定チャネルに対して、当セル及び当セルに干渉した隣接セルのＧＳＭシステム周波数ポイントを割り当てる時、当セルＬＴＥシステムの固定チャネルを回避するステップと、
ＬＴＥシステム物理ダウンリンク共有チャネルＰＤＳＣＨと物理アップリンク共有チャネルＰＵＳＣＨが指示した、ユーザーに割り当てられた周波数ドメインリソースに対して、その周波数ドメイン位置を、当セル及び当セルに干渉した隣接セルのＧＳＭシステム周波数ポイントと、違うように周波数リソースに割り当てるステップと、
ＬＴＥシステム物理制御フォーマット指示チャネルＰＣＦＩＣＨと物理ハイブリッド自動再送指示チャネルに対して、当セル及び当セルに干渉した隣接セルのＧＳＭシステム周波数ポイントを割り当てる時、ＬＴＥシステムの上記の２つのチャネルを回避し、または、ＬＴＥシステムが適切なＣｅｌｌＩＤを割り当てして当セル及び当セルに干渉した隣接セルのＧＳＭシステム周波数ポイントを回避するステップとを含む
ことを特徴とする方法。
【請求項２】
前記方法は、さらに、ＬＴＥシステムの物理ダウンリンク制御チャネルＰＤＣＣＨに対して、ＬＴＥシステムがＰＤＣＣＨチャネルのリソースを増やして補いまたは適切なＰＤＣＣＨリソースをスケジューリングして干渉を避けるステップとを含む
ことを特徴とする請求項１に記載の方法。
【請求項３】
ＬＴＥシステムの固定チャネルに対して、ＧＳＭシステムはＬＴＥシステムの１つのリソースブロックＲＢまたは複数のＲＢを単位としてＬＴＥシステムの固定チャネルを回避する
ことを特徴とする請求項１に記載の方法。
【請求項４】
ＬＴＥシステム固定チャネルに対して、ＧＳＭシステムは、ＬＴＥシステムの固定チャネルが利用する周波数ドメイン位置に、当セル及び当セルに干渉した隣接セルのＧＳＭ周波数ポイントを割り当てない
ことを特徴とする請求項１に記載の方法。
【請求項５】
ＬＴＥシステムＰＤＳＣＨチャネルとＰＵＳＣＨチャネルに対して、ＬＴＥシステムの１つのＲＢまたは複数のＲＢを単位としてＧＳＭシステムを回避する
ことを特徴とする請求項１に記載の方法。
【請求項６】
ＬＴＥシステムのＰＣＦＩＣＨチャネルとＰＨＩＣＨチャネルに対して、ＬＴＥシステムがＧＳＭシステムを回避しまたはＧＳＭシステムをＬＴＥシステムを回避することは共に、ＬＴＥシステムの１つまたは複数のリソースユニットグループＲＥＧを単位として回避する
ことを特徴とする請求項１に記載の方法。
【請求項７】
ＧＳＭシステムがホッピングする時、ＧＳＭシステムは当セル及び当セルに干渉した隣接セルのホッピング方式をＬＴＥシステムに知らせることで、ＬＴＥシステムに対する干渉を避ける
ことを特徴とする請求項１に記載の方法。
【請求項８】
干渉を回避する時、適切なガードバンドを取っておく
ことを特徴とする請求項１に記載の方法。
【請求項９】
前記ＬＴＥシステムの固定チャネルは、物理放送チャネルＰＢＣＨ、主同期チャネルＰＳＣＨ／副同期チャネルＳＳＣＨ、主情報ブロックＭＩＢが利用する物理ダウンリンク共有チャネルＰＤＳＣＨ、物理アップリンク制御チャネルＰＵＣＣＨ、物理ランダムアクセスチャネルＰＲＡＣＨ、うちの少なくとも１つのチャネルを含む
ことを特徴とする請求項１〜８のいずれかの１項に記載の方法。
【請求項１０】
ＧＳＭシステムとＬＴＥシステムを含み、ＧＳＭシステムがＬＴＥシステムに割り当てられた周波数スペクトル全体の中の一部を使用するようにＧＳＭシステムとＬＴＥシステムがＬＴＥシステムに割り当てられた周波数スペクトル全体を共有する周波数スペクトル共有システムであって、
当セル及び当セルに干渉した隣接セルのＧＳＭシステム周波数ポイントを、ＬＴＥシステムの固定チャネルと違う周波数リソースに割り当てることで、ＬＴＥシステムの固定チャネルの干渉を避けることに用いられ、
ＬＴＥシステムの物理ダウンリンク共有チャネル（ＰＤＳＣＨ）と物理アップリンク共有チャネル（ＰＵＳＣＨ）が指示した、ＬＴＥシステムユーザーに割り当てられた周波数ドメインリソースを、当セル及び当セルに干渉した隣接セルのＧＳＭシステム周波数ポイントと違うように周波数リソースに割り当てることで、ＬＴＥシステムユーザーに対する干渉を避けることに用いられ、
ＬＴＥシステムの物理制御フォーマット指示チャネル（ＰＣＦＩＣＨ）と物理ハイブリッド自動再送指示チャネル（ＰＨＩＣＨ）を、当セル及び当セルに干渉した隣接セルのＧＳＭシステム周波数ポイントと違うように周波数リソースに割り当てることで、ＬＴＥシステムのこの２つのチャネルに対する干渉を避けることに用いられる
協調装置を備えることを特徴とするシステム。
【請求項１１】
前記協調装置は、さらに、ＬＴＥシステムに対して、ＰＤＣＣＨのリソースを割り当てるのを増やして補い、または、適切なＰＤＣＣＨリソースをスケジューリングして干渉を避けることに用いられる
ことを特徴とする請求項１０に記載のシステム。
【発明の詳細な説明】
【技術分野】
【０００１】
本発明は周波数スペクトル共有技術に関し、特に、ＧＳＭシステムとＬＴＥシステムが周波数スペクトルを共有する方法及びシステムに関する。
【背景技術】
【０００２】
グローバルモバイル通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）は、ナローバンド通信システムであり、その帯域幅は、約２００ＫＨｚの帯域幅を有するである。ＧＳＭシステムを利用してセルラーネットワークを構成する場合、同一チャネル干渉を克服するために、干渉可能な隣接セルの間で、違う周波数ポイントを使ってよい。具体的な方法は、ＧＳＭネットワーク構成の時、共に若干の連続的な周波数ポイント（例えば、当該若干の連続的な周波数ポイントが１０ＭＨｚ帯域幅を占める）を使ってよいが、各セルがその中の１つまたは幾つの周波数ポイントを使い、同時に、干渉可能な隣接セルが使用する周波数ポイントが当セルの使用するセルと一致しないように保証することができることで、同一チャネル干渉を低減する。長期発展型（ＬＴＥ：Ｌｏｎｇ  Ｔｅｒｍ  Ｅｖｏｌｕｔｉｏｎ）システムは、ブロードバンド通信システムであり、その帯域幅は割り当てられることができ、１つのキャリアの帯域幅は、最小の１．４ＭＨｚから最大の２０ＭＨｚまでに割り当てられることができる。
【０００３】
以上の記述からわかるように、ＧＳＭシステムにおける各セルが１つまたは幾のみの周波数ポイントを占め、それが利用する帯域幅は総帯域幅より非常に低い（例えば、１つのセルに対して１つのＧＳＭ周波数ポイントが配置され、且つ利用可能な総帯域幅が１０ＭＨｚであることにとし、周波数スペクトルの利用率はただ０．２％である）。
【０００４】
一方、如何にＧＳＭシステムが占めた周波数スペクトルをスムーズにＬＴＥシステムに移行させることも考えなければならない問題である。現在に、ＧＳＭユーザー数の減少に伴い、かなりな連続的な周波数スペクトル（少なくとも１．４ＭＨｚ）が空いており、空いた連続的な周波数スペクトルをＬＴＥシステムに配置することを解決方法としているが、この方法は、周波数スペクトルに対する利用率が高くなく、平滑性が悪い。
【０００５】
そのため、如何にＧＳＭシステムとＬＴＥシステムに同周波数スペクトルを共有させ、周波数スペクトルの利用率を高めるとともに、ＧＳＭシステムをスムーズにＬＴＥシステムに移行させることは現在の１つの注目点となった。
【発明の概要】
【発明が解決しようとする課題】
【０００６】
本発明の目的は、周波数スペクトルの利用率を高めるとともに、ＧＳＭシステムをスムーズにＬＴＥシステムに移行させるように、ＧＳＭシステムとＬＴＥシステムが周波数スペクトルを共有する方法及びシステムを提供することにある。
【課題を解決するための手段】
【０００７】
前記技術問題を解決するために、本発明に係る、ＧＳＭシステムがＬＴＥシステムに割り当てられた周波数スペクトル全体の中の一部を使用するようにＧＳＭシステムとＬＴＥシステムがＬＴＥシステムに割り当てられた周波数スペクトル全体を共有する方法は、
ＬＴＥシステムの固定チャネルに対して、当セル及び当セルに干渉した隣接セルのＧＳＭシステムの周波数ポイントを割り当てる時、当セルのＬＴＥシステムの固定チャネルを回避するステップと、
ＬＴＥシステムの物理ダウンリンク共有チャネル（ＰＤＳＣＨ）と物理アップリンク共有チャネル（ＰＵＳＣＨ）が指示した、ユーザーに割り当てられた周波数ドメインリソースに対して、その周波数ドメイン位置を、当セル及び当セルに干渉した隣接セルのＧＳＭシステムの周波数ポイントと、違うように周波数リソースに割り当てるステップと、
ＬＴＥシステム物理制御フォーマット指示チャネル（ＰＣＦＩＣＨ）と物理ハイブリッド自動再送指示チャネルに対して、当セル及び当セルに干渉した隣接セルのＧＳＭシステムの周波数ポイントを割り当てる時、ＬＴＥシステムの前記２つのチャネルを回避し、または、ＬＴＥシステムが適切なＣｅｌｌＩＤを割り当てして当セル及び当セルに干渉した隣接セルのＧＳＭシステムの周波数ポイントを回避するステップと、
ＬＴＥシステム物理ダウンリンク制御チャネル（ＰＤＣＣＨ）に対して、リソース回避措置を取らず、または、ＬＴＥシステムがＰＤＣＣＨチャネルのリソースを増やして補いまたは適切なＰＤＣＣＨリソースをスケジューリングして干渉を避けるステップとを含む。
【０００８】
その中、前記ＬＴＥシステムの固定チャネルは、物理放送チャネル（ＰＢＣＨ）、主同期チャネル（ＰＳＣＨ）／副同期チャネル（ＳＳＣＨ）、主情報ブロック（ＭＩＢ）が利用する物理ダウンリンク共有チャネル（ＰＤＳＣＨ）、物理アップリンク制御チャネル（ＰＵＣＣＨ）、物理ランダムアクセスチャネル（ＰＲＡＣＨ）を含む。
【０００９】
その中、ＬＴＥシステムの固定チャネルに対して、ＧＳＭシステムはＬＴＥシステムの１つのリソースブロック（ＲＢ）または複数のＲＢを単位としてＬＴＥシステムの固定チャネルを回避する。
【００１０】
その中、ＬＴＥシステムの固定チャネルに対して、ＧＳＭシステムは、ＬＴＥシステムの固定チャネルが利用する周波数ドメイン位置に、当セル及び当セルに干渉した隣接セルのＧＳＭシステム周波数ポイントを割り当てない。
【００１１】
その中、ＬＴＥシステムのＰＤＳＣＨチャネルとＰＵＳＣＨチャネルに対して、ＬＴＥシステムの１つのＲＢまたは複数のＲＢを単位としてＧＳＭシステムを回避する。
【００１２】
その中、ＬＴＥシステムのＰＣＦＩＣＨチャネルとＰＨＩＣＨチャネルに対して、ＬＴＥシステムがＧＳＭシステムを回避しまたはＧＳＭシステムをＬＴＥシステムを回避するのは、ＬＴＥシステムの１つまたは複数のリソースユニットグループ（ＲＥＧ）を単位として回避する。
【００１３】
その中、ＧＳＭシステムがホッピングする場合、ＧＳＭシステムは、ＬＴＥシステムに干渉しないように、当セル及び当セルに干渉する隣接セルのホッピング方式をＬＴＥシステムに知らせる。
【００１４】
その中、干渉を回避する時、適切なガードバンドを取っておく。
【００１５】
また、本発明は、ＧＳＭシステム、ＬＴＥシステム、１つの協調装置をさらに含み、ＧＳＭシステムがＬＴＥシステムに割り当てられた周波数スペクトル全体の中の一部を使用するようにＧＳＭシステムとＬＴＥシステムがＬＴＥシステムに割り当てられた周波数スペクトル全体を共有する周波数スペクトル共有システムを提供することにある。
【００１６】
前記協調装置は、
当セル及び当セルに干渉した隣接セルのＧＳＭシステム周波数ポイントを、ＬＴＥシステムの固定チャネルと違う周波数リソースに割り当てることで、ＬＴＥシステムの固定チャネルの干渉を避けることに用いられ、
ＬＴＥシステムの物理ダウンリンク共有チャネル（ＰＤＳＣＨ）と物理アップリンク共有チャネル（ＰＵＳＣＨ）の指示した、ＬＴＥシステムユーザーに割り当てられた周波数ドメインリソースを、当セル及び当セルに干渉した隣接セルのＧＳＭシステム周波数ポイントと違うように周波数リソースに割り当てることで、ＬＴＥシステムユーザーに対する干渉を避けることに用いられ、
ＬＴＥシステムの物理制御フォーマット指示チャネル（ＰＣＦＩＣＨ）と物理ハイブリッド自動再送指示チャネル（ＰＨＩＣＨ）を、当セル及び当セルに干渉した隣接セルのＧＳＭシステム周波数ポイントと違うように周波数リソースに割り当てることで、ＬＴＥシステムのこの２つのチャネルに対する干渉を避けることに用いられ、
ＬＴＥシステムの物理ダウンリンク制御チャネル（ＰＤＣＣＨ）チャネルに、如何なるリソース回避措置を行わず、または、ＬＴＥシステムに対して、ＰＤＣＣＨのリソースを割り当てるのを増やして補い、または、適切なＰＤＣＣＨリソースをスケジューリングして干渉を避けることに用いられる。
【発明の効果】
【００１７】
従来技術に比べて、本発明の方法及びシステムを採用すれば、ＧＳＭシステムとＬＴＥシステムに同周波数スペクトルを共有でき、相互干渉を完全に制御でき、ひいては、干渉がなくなるようにさせることができる。同時に、ネットワークにおけるＧＳＭシステムユーザーが徐々に減少する場合、ＧＳＭシステムが占める周波数ポイントも徐々に減少し、ＬＴＥシステムに対する制約も徐々に減らし、このように、ＧＳＭシステムからＬＴＥシステムにスムーズに移行させることを実現できる。
【図面の簡単な説明】
【００１８】
【図１】本発明に係る実施例が提供するＧＳＭシステムとＬＴＥシステムのダウンリンク周波数スペクトル共有を示す図である。
【図２】本発明に係る実施例が提供するＧＳＭシステムとＬＴＥシステムのアップリンク周波数スペクトル共有を示す図である。
【図３】本発明に係る実施例が提供する周波数スペクトル共有システムの構造を示す図である。
【発明を実施するための形態】
【００１９】
ここで記載する図面は本発明を更に説明する用であり、本発明の一部を構成し、示した実施の形態とその説明は本発明を解釈する用であり、本発明に対する不当限定ではない。
【００２０】
本発明が解決しようとする技術問題、技術案及び有益な効果をもっと明瞭になるために、以下、付図と実施例を結合しながら本発明をさらに詳しく説明する。なお、ここで記載する具体的な実施例は本発明を解釈するだけであり、本発明を限定するものではない。
【００２１】
ＧＳＭシステムとＬＴＥシステムが同周波数スペクトルを共有することを実現するために、本発明の技術案は以下のように記述される。
【００２２】
ＧＳＭシステムの信号パワー周波数スペクトル密度（例えば１つの周波数ポイント２００ＫＨｚで２０Ｗのパワーを送信する）がＬＴＥシステムの信号パワー周波数スペクトル密度（例えば、１０ＭＨｚ帯域幅で２０Ｗのパワーを送信する）よりはるかに大きいため、ＬＴＥシステムがＧＳＭシステムに対する干渉は、考慮に入れなくても良いが、逆に、ＧＳＭシステムがＬＴＥシステムに対する干渉はとても強いである。この干渉を低下させるために、本発明は違ったチャネルに対して異なる方法で処理する。具体的な方法は、以下通りである。
【００２３】
（１）ＬＴＥシステムの固定チャネルに対して、例えば、物理放送チャネル（ＰＢＣＨ：Ｐｈｙｓｉｃａｌ  Ｂｒｏａｄｃａｓｔ  Ｃｈａｎｎｅｌ）、主同期チャネル（ＰＳＣＨ：Ｐｒｉｍａｒｙ  Ｓｙｎｃｈｒｏｎｉｚａｔｉｏｎ  Ｃｈａｎｎｅｌ）／副同期チャネル（ＳＳＣＨ：Ｓｅｃｏｎｄ  Ｓｙｎｃｈｒｏｎｉｚａｔｉｏｎ  Ｃｈａｎｎｅｌ）、主情報ブロック（ＭＩＢ：Ｍａｓｔｅｒ  Ｉｎｆｏｒｍａｔｉｏｎ  Ｂｌｏｃｋ）が利用する物理ダウンリンク共有チャネル（ＰＤＳＣＨ：Ｐｈｙｓｉｃａｌ  Ｄｏｗｎｌｉｎｋ  Ｓｈａｒｅ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ：物理アップリンク制御チャネル）及び物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）等は、ＧＳＭシステムより干渉されず、このように、当セル及び当セルに干渉する可能な隣接セルのＧＳＭシステムの周波数ポイントを割り当てる時、ＬＴＥシステムの上記の固定チャネルを回避することで実現する。
【００２４】
特に、ＧＳＭシステムはＬＴＥシステムの上記の固定チャネルを回避する時、ＬＴＥシステムの１つのリソースブロック（ＲＢ：Ｒｅｓｏｕｒｃｅ  Ｂｌｏｃｋ）または複数のＲＢを単位として回避してもよい。
【００２５】
特に、ＧＳＭシステムはずっと、ＬＴＥシステムの上記のチャネルが利用する周波数ドメイン位置に、当セル及び当セルに干渉する可能な隣接セルのＧＳＭ周波数ドメインを、割り当てなくてもよい。
【００２６】
（２）ＬＴＥシステムのＰＤＳＣＨと物理アップリンク共有チャネル（ＰＵＳＣＨ：Ｐｈｙｓｉｃａｌ  Ｕｐｌｉｎｋ  Ｓｈａｒｅ  Ｃｈａｎｎｅｌ）が指示した、ユーザーに割り当てられた周波数ドメインリソース位置に対して、ＬＴＥシステムが当セル及び当セルに干渉する可能な隣接セルのＧＳＭシステムを占めた周波数ポイントの情況に基づいてスケジューリングを行うことで、前記ＬＴＥシステムのＰＤＳＣＨとＰＵＳＣＨが指示した、ユーザーに割り当てられた周波数ドメインリソースが、当セル及び当セルに干渉する可能な隣接セルのＧＳＭシステム周波数ドメインと違うように周波数に位置するようにさせて干渉を避ける。
【００２７】
特別に、ＬＴＥシステムのＰＤＳＣＨチャネルとＰＵＳＣＨチャネルがＧＳＭシステムを回避する時、ＬＴＥシステムの１つのＲＢまたは複数のＲＢを単位として回避してもよい。
【００２８】
（３）ＬＴＥシステム物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）と物理ハイブリッド自動再送指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）に対して、ＧＳＭシステムが当セル及び当セルに干渉する可能な隣接セルのＧＳＭシステムの周波数ポイントを割り当てることで、ＬＴＥシステムのＰＣＦＩＣＨとＰＨＩＣＨチャネルを回避できる。特別に、ＧＳＭシステムはＬＴＥシステムの１つまたは複数のリソースユニットグループ（ＲＥＧ：Ｒｅｓｏｕｒｃｅ  ｅｌｅｍｅｎｔ  Ｇｒｏｕｐ）を単位とし、または１つか複数のＲＢを単位として回避でき、
または、ＬＴＥシステムが適切なＣｅｌｌＩＤを割り当てることで、当セル及び当セルに干渉する可能な隣接セルのＧＳＭシステムの周波数ポイントを回避できて干渉を避ける。特別に、ＬＴＥシステムのＰＣＦＩＣＨとＰＨＩＣＨがＧＳＭシステムを回避する時、ＬＴＥシステムの１つまたは複数のＲＥＧを単位として、または、１つまたは複数のＲＢを単位として回避してもよい。
【００２９】
（４）ＬＴＥシステムの物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）に対して、如何なるリソースの回避措置をとらなくても良く、この時、ＧＳＭシステムの干渉があっても、ＬＴＥシステムの各ＰＤＣＣＨが占めたリソースが可変であるのを考えるので、小さい一部のリソースがＧＳＭシステムに干渉され、しかし、充分なリソースが割り当てられると、受信側が正確に当該ＰＤＣＣＨを解析できるのを保証でき、または、
ＬＴＥシステムは、ＰＤＣＣＨが占めた周波数リソースに基づいて、当セル及び当セルに干渉する可能な隣接セルのＧＳＭシステムが占めた周波数リソースと重なったかどうかを判断し、及び重合度の程度によって別のＰＤＣＣＨを選ぶかどうかまたは当該ユーザーをスケジューリングするかどうかを決定する。例えば、ＰＤＣＣＨが割り当てられたリソースを増やして補い、または、適切なＰＤＣＣＨリソースをスケジューリングすることで、干渉を避ける。
【００３０】
（５）干渉を回避する時、適切なガードバンドを取っておいてよい。
【００３１】
さらに、以上の方法はＧＳＭがホッピングする時にも適用し、この時、ＧＳＭシステムが当セル及び当セルに干渉する可能な隣接セルのホッピング方式を当セルのＬＴＥシステムに知らせればよい。
【００３２】
さらに、以上の方法は、ＬＴＥ−Ａシステムのいずれか１つの分量キャリア（ＣＣ：Ｃｏｍｐｏｎｅｎｔ  Ｃａｒｒｉｅｒ）にも適用する。
【００３３】
本発明を深刻に理解するために、以下は付図１と付図２を結合しながら、本発明に係るＧＳＭシステムとＬＴＥシステムの周波数スペクトル共有を含む具体的な実施例を開示する。
【００３４】
図１と図２に示すように、ＧＳＭシステムとＬＴＥシステムの周波数スペクトル共有帯域幅が１０ＭＨｚとして、ベースバンドが−５ＭＨｚ〜５ＭＨｚであり、ＬＴＥシステムのパラメータに従って、番号がそれぞれ−２５、−２４、・・・、−１、１、２、・・・、２５である共に５０個のＲＢがある。
【００３５】
本発明の技術案によれば、当セル及び当セルに干渉する可能な隣接セルのＧＳＭ周波数ポイントはＬＴＥシステムの固定チャネル、例えば、ＰＢＣＨ、ＰＳＣＨ／ＳＳＣＨ、ＭＩＢ所在のＰＤＳＣＨ、ＰＵＣＣＨ及びＰＲＡＣＨ、に配置されることができず、これらのチャネルの位置（ＰＵＣＣＨを除く）は周波数ドメインにおける６個のＲＢに固定され、即ち通し番号が−３，−２，−１，１，２，３であるＲＢ（ＰＵＣＣＨ位置がＬＴＥシステム帯域幅の両側に位置し、本実施例において通し番号が−２５と２５であるＲＢに位置する）。従って、当セル及び当セルに干渉する可能な隣接セルのＧＳＭシステムの周波数ポイントはこの８個のＲＢに配置されることができない。更に保護するために、通り番号が−４，４，−２４，２４である若干のＲＢをガードバンドとして取っておいてよく、即ちＲＢ共に１２個のＲＢにＧＳＭ周波数ポイントを配置することができず、図１と図２を参照する。
【００３６】
ＬＴＥシステムＰＤＳＣＨとＰＵＳＣＨが指示した、ユーザーに割り当てられた周波数ドメインリソース位置は、当セル及び当セルに干渉する可能な隣接セルのＧＳＭ周波数ポイントを回避すべき、図１と図２を参照する。
【００３７】
ＬＴＥシステムのＰＣＦＩＣＨとＰＨＩＣＨは、適切なＣｅｌｌＩＤを割り当てることで、当セル及び当セルに干渉をする可能な隣接セルのＧＳＭ周波数ポイントを回避でき、図１を参照する。
【００３８】
ＬＴＥシステムのＰＤＣＣＨが当セル及び当セルに干渉をする可能な隣接セルのＧＳＭ周波数ポイントと衝突する可能があって、干渉になり、図１に示すように、干渉されたパワーがそんなに大きくなく、ＰＤＣＣＨが割り当てられたリソースを増して補い、または、適切なＰＤＣＣＨリソースをスケジューリングすることで干渉を避けることができる。
【００３９】
図３に示すように、本発明に係る実施例が提供する周波数スペクトル共有システム構造を示す図である。当該共有スペクトルシステム１００は、ＬＴＥシステム１０、ＧＳＭシステム２０と協調装置３０を含み、前記協調装置３０は、
当セル及び当セルに干渉した隣接セルのＧＳＭシステム２０周波数ポイントを、ＬＴＥシステム１０固定チャネルと違う周波数リソースに割り当てることで、ＬＴＥシステム１０の固定チャネルの干渉を避けることに用いられ、
ＬＴＥシステム１０物理ダウンリンク共有チャネル（ＰＤＳＣＨ）と物理アップリンク共有チャネル（ＰＵＳＣＨ）が指示した、ＬＴＥシステム１０ユーザーに割り当てられた周波数ドメインリソースを、当セル及び当セルに干渉した隣接セルのＧＳＭシステム２０周波数ポイントと違うように周波数リソースに割り当てることで、ＬＴＥシステム１０ユーザーに対する干渉を避けることに用いられ、
ＬＴＥシステム１０物理制御フォーマット指示チャネル（ＰＣＦＩＣＨ）と物理ハイブリッド自動再送指示チャネル（ＰＨＩＣＨ）を、当セル及び当セルに干渉した隣接セルのＧＳＭシステム２０周波数ポイントと違うように周波数リソースに割り当てることで、ＬＴＥシステム１０のこの２つのチャネルに対する干渉を避けることに用いられ、
ＬＴＥシステム１０物理ダウンリンク制御チャネル（ＰＤＣＣＨ）チャネルに、如何なるリソース回避装置を取らず、または、ＬＴＥシステム１０に対して、ＰＤＣＣＨのリソースを割り当てるのを増やして補い、または、適切なＰＤＣＣＨリソースをスケジューリングして干渉を避けることに用いられる。
【００４０】
以上の説明が本発明の最適的な実施例に過ぎず、前述のように、本発明が本文に開示された形式に限られず、他の実施例を排除することと見なされてはいけず、他の各種の組み合わせ、補正及び環境に適応することができ、本発明に記載される構造範囲内に上記の教示または関連な技術または知識によって改修することができることは理解であろう。当業者が行った改修と変化は本発明の精神および範囲から逸脱しないと、本発明に係るクレームの保護範囲内に属するべきである。
【図１】
0005770860.tif 000002
【図２】
0005770860.tif 000003
【図３】
0005770860.tif 000004